(57)【要約】  ユーザに向けて楽曲リストを動的に生成する装置及び方法。画面上のユーザ・インタフェース表示を、ユーザが望むメディア順序の表示を生成するために用いる。大規模の音楽コレクションを有するアーチスト・マップは、表示内のアーチスト・マップ上でユーザによって選択される規定された位置に対応する属性値構成によって楽曲リストを生成するよう楽曲リスト・パスをユーザが選択的に作成することが可能であるように表示される。アーチスト・マップは、類似アーチストが互いに近くに配置されるように音楽の音響に基づいた、大規模の音楽コレクションの概要を有し得るものであり、音楽のアーチスト、アルバム、スタイル、ムード、ジャンル、テンポ及び年のうちの少なくとも１つを供給する。
2008517314.tif 000002
【特許請求の範囲】
【請求項１】
画面上の表示を有する装置であって、
表示内の提示のために少なくとも１つの楽曲リストを生成する手段を備えており、前記楽曲リストは、前記表示上に表示されたアーチスト・マップ上の少なくとも１つの領域を接続する楽曲リスト・パスを作成することによって生成される装置。
【請求項２】
請求項１記載の装置であって、前記楽曲リスト・パスは、前記アーチスト・マップの複数の領域を順番に手作業で接続することによって選択的に作成される装置。
【請求項３】
請求項１記載の装置であって、前記アーチスト・マップは、年マグネット及び/又はテンポ・マグネットを有しており、その結果、低速音楽群、中速音楽群及び高速音楽群を明確に分離するアーチスト・クラスタ化がもたらされる装置。
【請求項４】
請求項１記載の装置であって、前記アーチスト・マップは、ムード・マグネット及び/又はジャンル・マグネットを有しており、その結果、低速音楽群、中速音楽群及び高速音楽群を明確に分離するアーチスト・クラスタ化がもたらされる装置。
【請求項５】
請求項１記載の装置であって、前記アーチスト・マップは、前記アーチスト・マップにおいて大規模の音楽コレクションの概要を表すために別の色を付ける手法を有する装置。
【請求項６】
請求項１記載の装置であって、前記アーチスト・マップは、その音楽の音響に基づいて、類似アーチストが互いに近くに配置されるように配置されたアーチストを有する装置。
【請求項７】
請求項１記載の装置であって、前記表示が、タッチ画面表示である装置。
【請求項８】
請求項１記載の装置であって、前記生成する手段は、前記装置のユーザの相互作用動作の持続時間を備える期間において前記選択された楽曲リスト・パスの連続して目に見える表示をもたらす装置。
【請求項９】
請求項１記載の装置であって、前記少なくとも１つの楽曲リスト上にいくつかの楽曲が生成されることを規定する手段を更に備える装置。
【請求項１０】
請求項１記載の装置であって、前記作成された楽曲リスト・パスに基づいて少なくとも１つの楽曲を選択する手段を更に備える装置。
【請求項１１】
請求項１０記載の装置であって、前記少なくとも１つのアーチスト（a*）は、式
【数１】
2008517314.tif 000005
によって選択され、aは前記アーチスト・マップにおけるアーチスト全てを表し、
Paは前記アーチスト・マップ上のx,y座標の位置を表し、
Pxは前記楽曲リスト・パスの現在の楽曲リスト点の位置を表し、
a*は前記現在の楽曲リスト点に最も近いアーチストを表す装置。
【請求項１２】
請求項１０記載の装置であって、前記少なくとも１つのアーチストは、前記楽曲リスト・パスの楽曲リスト点からの距離が所定の閾値よりも小さいアーチストの組からランダムに
a*=random｛a｝*
｛a｝*=｛a∈A：d(Pa,Px)<ε｝
によって選択される装置。
【請求項１３】
請求項１１記載の装置であって、アーチスト毎に少なくとも１つの楽曲がランダムに選択される装置。
【請求項１４】
請求項11記載の装置であって、アーチスト毎に少なくとも１つの楽曲が、式
s*=random（S）
Sc=｛s1,..sK｝
によって選択され、
Scは、アーチストa*によって演奏され、前記楽曲リスト・パスに近い属性マグネットによって規定される楽曲の組を表す装置。
【請求項１５】
画面上表示を有し、楽曲リストを供給するための装置であって、音楽を順番に選択するために前記楽曲リストを供給する手段を備えており、前記楽曲リストは、前記表示内のアーチスト・マップ上でユーザによって選択される規定された位置に対応する属性値構成に基づいて生成され、前記アーチスト・マップは、音楽の音響に基づいて、類似アーチストが互いに近くに配置されるような、大規模の音楽コレクションの概要を有する装置。
【請求項１６】
請求項15記載の装置であって、前記楽曲リスト上にいくつかの楽曲が生成されることを規定する手段を更に備える装置。
【請求項１７】
請求項１５記載の装置であって、前記アーチスト・マップは、別々の音楽テンポを反映するために別々の色を更に有する装置。
【請求項１８】
請求項15記載の装置であって、前記表示が、タッチ画面表示である装置。
【請求項１９】
ユーザの選好によってメディアの楽曲リストを生成する方法であって、
画面上のユーザ・インタフェース表示上にアーチスト・マップを供給する工程と、
前記アーチスト・マップ上の少なくとも１つの領域を接続する楽曲リスト・パスを選択的に作成する工程と、
前記アーチスト・マップ上で前記ユーザによって選択される特定された位置に対応する属性値構成に基づいて所望のメディアの順序の選択に対応する楽曲リストを生成する工程とを備える方法。
【請求項２０】
請求項１９記載の方法であって、前記アーチスト・マップは、音楽の音響に基づいて、類似アーチストが互いに近くに配置されるような、大規模の音楽コレクションの概要を有する方法。
【請求項２１】
請求項１９記載の方法であって、前記生成楽曲リストを前記ユーザに提示する工程を更に備える方法。
【請求項２２】
請求項19記載の方法であって、前記作成された楽曲リスト・パスに基づいて少なくとも１つの楽曲を選択する工程を更に備える方法。
【請求項２３】
請求項19記載の方法であって、少なくとも１つのアーチスト（a*）は、式
【数２】
2008517314.tif 000006
によって選択され、
aは前記アーチスト・マップにおけるアーチスト全てを表し、
Paは前記アーチスト・マップ上のx,y座標の位置を表し、
Pxは前記楽曲リスト・パスの現在の楽曲リスト点の位置を表し、
a*は前記現在の楽曲リスト点に最も近いアーチストを表す方法。
【請求項２４】
請求項19記載の方法であって、少なくとも１つのアーチストは、前記楽曲リスト・パスの楽曲リスト点からの距離が所定の閾値よりも小さいアーチストの組からランダムに
a*=random｛a｝*
｛a｝*=｛a∈A：d(Pa,Px)<ε｝
によって選択される方法。
【請求項２５】
請求項23記載の方法であって、アーチスト毎に少なくとも１つの楽曲がランダムに選択される方法。
【請求項２６】
請求項23記載の方法であって、アーチスト毎に少なくとも１つの楽曲が、式
s*=random（S）
Sc=｛s1,..sK｝
によって選択され、
Scは、前記アーチストa*によって演奏され、前記楽曲リスト・パスに近い属性マグネットによって規定される楽曲の組を表す方法。
【請求項２７】
請求項１９記載の方法を行うためのコンピュータ実行命令を担持するコンピュータ読み取り可能媒体。
【請求項２８】
ユーザの選好によって少なくとも１つの楽曲リストを生成するシステムであって、
プロセッサと、
前記プロセッサに結合されたメモリとを備えており、前記メモリは、
画面上のユーザ・インタフェース表示上の所定の形式によって大規模のメディア・コレクションを有するアーチスト・マップを供給する機能と、
前記アーチスト・マップ上の少なくとも１つの領域を接続する楽曲リスト・パスを生成する機能と、
前記アーチスト・マップ上で前記ユーザによって選択される特定された位置に対応する属性値構成に基づいた、所望のメディアの順序の選択に対応する前記楽曲リストを供給する機能と
を前記プロセッサが行うことを可能にするよう構成されるシステム。
【請求項２９】
請求項28記載のシステムであって、前記アーチスト・マップは、音楽の音響に基づいて、類似アーチストが互いに近くに配置されるような、大規模の音楽コレクションの概要を有するシステム。
【請求項３０】
請求項28記載のシステムであって、前記アーチスト・マップは、年マグネット及び/又はテンポ・マグネットを有しており、その結果、低速音楽群、中速音楽群及び高速音楽群を明確に分離するアーチスト・クラスタ化がもたらされるシステム。
【請求項３１】
請求項28記載のシステムであって、前記アーチスト・マップは、ムード・マグネット及び/又はジャンル・マグネットを有しており、その結果、低速音楽群、中速音楽群及び高速音楽群を明確に分離するアーチスト・クラスタ化がもたらされるシステム。
【請求項３２】
請求項28記載のシステムであって、前記アーチスト・マップは、前記アーチスト・マップにおいて大規模の音楽コレクションの概要を表すために別々の色を付ける手法を有するシステム。
【発明の詳細な説明】
【技術分野】
【０００１】
本発明は、音楽プレイヤのユーザにメディアの楽曲リストを供給する装置及び方法に関する。
【背景技術】
【０００２】
消費者向ディジタル電子装置によって、小型のポータブル装置上に大量のコンテンツを記憶することが可能になった。ポータブル音楽プレイヤの小型化や記憶容量増大のトレンドは、操作するためのナビゲーション・タスク及び高度なユーザ相互作用タスクの課題をもたらしている。現在利用可能なユーザ・インタフェースは通常、フォルダ・ベースの構造を用いている。ユーザは膨大な量のディジタル音楽を扱わなければならないため、これによって、ユーザが所望のアイテムを見つけることが制限される。アイポッドのタッチ・ホイールや、ＨＤＤ１００上のスーパースクロールなどの新技術は、リスト・ベースの階層環境におけるナビゲーションの改良に焦点を当てている。しかし、このタイプのインタフェースの操作性を改良することは十分でないことがあり得る。一層長くなっているリストにおいてアイテムを見つけることは難しく、多くの時間を要するからである。更に、楽曲リストの作成は現在、現場を離れて行われており、したがって、時間がかかる。
【発明の開示】
【発明が解決しようとする課題】
【０００３】
よって、大規模の音楽コレクションにおいても小型スクリーン上でもユーザの要求を満たしながら、できる限り少ない相互作用を伴ってすばやくかつ容易に、ポータブル音楽プレイヤ利用時の楽曲リストを作成するための手段に対する必要性が存在している。
【課題を解決するための手段】
【０００４】
本発明は、ユーザの選好によってメディアの楽曲リストを動的に生成するシステム及び方法を供給する。上記システムは、大規模の音楽コレクションを表すアーチスト・マップの表示を生成する、画面上のユーザ・インタフェース表示を有している。アーチスト・マップは、年マグネット及びテンポ・マグネット（やその他の属性マグネット）を有することができる。その結果、低速音楽群、中速音楽群、及び高速音楽群を明確に分離するアーチスト・クラスタ化が生じる。アーチスト・マップは、音楽の種々のテンポを反映するための種々の色を有することもできる。大規模のメディア・コレクションをナビゲートするうえでのユーザの能力は、アーチストの特定の領域上を順番にクリックすることによりアーチスト・マップ上に楽曲リスト・リンクを作成することによって改善される。楽曲リスト・リンク・パスは、ユーザによって望まれるメディアに対応し、アーチスト・マップ上でユーザによって選択される特定された位置に対応する属性値の構成に基づいて生成される。
【発明を実施するための最良の形態】
【０００５】
［実施例］
図１を参照すれば、本発明による、画面上のユーザ・インタフェース表示を備える例示的なポータブル・オーディオ・システム１００は、入力装置２０と、符号器／復号器（コデック）２０と、増幅器２４と、グラフィック・インタフェース装置２６と、プロセッサ２８と、メモリ３０と、電力源３２と、表示３４と、入出力インタフェース３６とを有している。
【０００６】
入力装置２０は、当該技術分野において知られているタッチ感応式表示及び／又は電気機械式スイッチを用いて実現することができる。コデック２２はディジタル・データ・ストリームをアナログ信号に変換する。音声アプリケーションの、音楽アプリケーションの、又は両方の既知のコデック技術の何れかを用いてコデック２２を実現できることが当業者には分かるであろう。アナログ増幅器２４は、コデック２２からの変換アナログ・データを外部オーディオ出力装置（ヘッドフォンなど）に増幅する。
【０００７】
プロセッサ２８は、何れかの通常のプロセッサ（マイクロプロセッサ、組み込みコントローラ、ディジタル信号プロセッサ（DSP）、中央処理装置（CPU）や同様なものなど）を用いて実現することができる。メモリ３０は、ランダム・アクセス・メモリ（RAM）及び読み取り専用メモリ（ROM）を有し得る。メモリ３０は、基本入出力システム（BIOS）（プロセッサが種々の周辺装置と通信することを可能にする命令を有する）を更に有する。電力源は、システム１００の全構成部分に電力を供給し、複数のAAAバッテリを備え得る。電力源３６は、制御された電圧を供給するための外部電力源も有し得る。表示３４は、液晶表示（LCD）として実現することができ、約４インチ（１０センチメートル）のタッチスクリーンを有し得る（現在のポータブル音楽プレイヤの前面にうまく収まる）。しかし、これは、小型表示に限定されず、本明細書及び特許請求の範囲記載の方法は、何れかの表示可能な装置において楽曲リストを生成するよう適用可能である。I／Oインタフェース３６は、シリアル・インタフェース及び／又はユニバーサル・シリアル・バス（USB）インタフェースであり得る。
【０００８】
システム１００は、消費者向電子装置を動作させるシステムの意味合いで説明しているが、これは例示に過ぎない。本発明の原理は、消費者向けでない他の電子装置を動作させるユーザ・インタフェース・システム、及び例えばパソコン上やその他の装置上でアプリケーション・プログラムを動作させるユーザ・インタフェース・システムにおいて適用することができる。
【０００９】
動作上、プロセッサ２８は、聴きたい音楽をユーザが見つけるのを支援するために、相互作用的で、階層的で、制御レベルの楽曲リスト・メニュー・表示の組に従ってアーチスト・マップを表示３４に供給する。前述のメニュー表示は例えば、図２並びに図３A及び図３Bに示す表示を有する。よって、メニューをナビゲートすることによって後の再生のためにユーザによる最小の相互作用で楽曲リストを生成することが可能である。プロセッサ２８は、表示３４とともに、メニューアイテムの選択及びナビゲーションのコマンドに応答して楽曲リストを表示する。
【００１０】
次に、図２乃至図４を参照して本発明を詳細に説明する。
【００１１】
音楽のスタイル、ムード及びテンポに関する、楽曲間及びアーチスト間の類似性は、聴きたい音楽をユーザが見つけることを支援するうえで最も重要な属性の一部である。本発明による新たなグラフィカル・ユーザ・インタフェースは、ユーザが、特定のアイテムを求めて、かつ、一般音楽を求めてサーチする（又は非特定サーチを行う）ことが可能であるように開発された。特定のアイテムは、ジャンル、アーチスト、アルバム、及び楽曲によってサーチされる。ユーザは特定のサーチを行うことが可能である。そして、非特定サーチは、「類似アーチスト・マップ」を用いて達成される。
【００１２】
類似アーチスト・マップでは、類似したアーチストが互いに近くに配置されるようにアーチストがその音楽の音響に基づいて配置される。よって、類似したアーチストのクラスタは、制作する種類の音楽と高い相関を有する「属性マグネット」に近い。「属性マグネット」の組は、アーチストのスタイル属性、ムード属性及びテンポ属性を反映するムード・マグネット、ジャンル・マグネット、タイプ・マグネット及び年マグネットを有している。よって、「属性マグネット」は、引きつける種類の音楽を明確にするようラベリングされ、更なる文脈を与えるために、アーチストには、別々の属性情報を示すために違ったふうに色をつけることができる。すなわち、ユーザは、ムード・マグネットの周りにアーチストをクラスタ化させ、別の色によって示される別の音楽テンポをクラスタ化するようにすることができる。
【００１３】
別々の基準を有するマグネットをおく例証的な例を以下の表に示す。
【００１４】
【表１】
2008517314.tif 000003
図示したように、２つのタイプのマグネットを表示することが可能である。すなわち、左から右に音楽の年を表し、下から上に音楽のテンポを表す。更に、円形のマグネットを用いて種々のジャンルを表すことが可能である。
【００１５】
図２は、ムード・マグネット及び色付けを用いて別々のテンポ情報を示すアーチスト・マップの例を示す。図示したように、大規模の音楽コレクションの概要（別々のムードに関する別々の複数の音楽に分けられている）がユーザに向けて、アーチスト・マップにおいて供給される。ユーザは、音楽コレクションをナビゲートして、音楽の部分集合を、アーチスト・マップの所望の領域をズームすることによって選択することが可能である。ユーザは、ハッピーな音楽に、例えば、ハッピーな音楽の領域上をクリックすることによってズームし、次いで、他のタイプのマグネット（すなわち、年マグネット）を用いてこの部分集合を更にクラスタ化することが可能である。よって、ハッピーな音楽を選択し、ハッピーな音楽のみをみた後、ユーザは次に、階層型ブラウザを用いて、より具体的に望まれるアーチスト又は音楽を選択することが可能である。この例では、ハッピーな音楽における別々の色も別々のテンポを表す。よって、ムード・マグネットに基づいて、ユーザは、攻撃的な音楽から、ゆったりした音楽にわたる楽曲リストを生成することが可能である。同時に、ユーザは、別の色によって示される領域を選択することによってハッピーな音楽の群内の別々の音楽テンポを選択するという選択肢も有する。その結果、必要となる相互作用が最小となり、ユーザは、楽曲リストを生成するための自らのコントロールのレベルを選ぶ。
【００１６】
図３A及び図３Bは、アーチスト・マップと、太字の矢印の強調表示によって識別されるナビゲーション・パスとを示す、画面上のユーザ・インタフェース表示の別の例を示す。これによって、ユーザが、ナビゲーション・パス及び再生順序を容易にみることが可能になる。特に、図３Aに示すアーチスト・マップをユーザに向けて提示して、以下に説明するようにウェイポイントを用いて楽曲リスト・パスを精密にマップに示すことによって高速でかつ容易な、楽曲リストを生成する革新的なやり方をもたらすための別の枠組みを供給することができる。
【００１７】
図３Bを参照すれば、楽曲は、楽曲リスト・パスを作成することによって、表示内の特定の位置に対応する属性値の構成に基づいて再生される。楽曲パスを作成するために、ユーザは、アーチスト・マップにおいて（タッチスクリーン表示上の特定の場所をクリックすることによって生成される）「ウェイポイント」又は楽曲リスト点を規定する必要がある。図示したように、ウェイポイントは、アーチスト・マップ上に配置され、楽曲リストに入る、音楽の種類、及び時期を判定する。図３Bに示すように、ユーザは、４つのウェイポイントを配置し、この楽曲リスト・パスに沿って、再生する対象の楽曲の数（例えば、２４）を指定することができる（か、又はデフォールト値を用いることができる）。（黒丸によって示される）ウェイポイントの組は、楽曲リストがたどるパスを構成する。
【００１８】
図３Bのアーチスト・マップは、年マグネット及びテンポ・マグネットを特徴としており、それによって、低速音楽群、中速音楽群及び高速音楽群を明確に分離するアーチスト・クラスタ化が生じる。ピクチャを単純に保つために、色は、ここでは新たな情報を何ら伝えるものでなく、テンポ群を強調するに過ぎない。よって、前述の４つのやり方及びそれらが配置された順序によって、楽曲リストを表すパスが作成される。この例では、楽曲リストは、80年代からの、ほぼ中位のテンポの音楽から始まり、速度がより高い音楽を徐々に再生する。一方、楽曲のリリース年は、2000/2001年からずっと速く増加する。楽曲リスト内の合計楽曲数は24に設定されるので、ユーザは、パスの３つの部分それぞれ上に８楽曲を見て取る。
【００１９】
前述のような楽曲リスト生成と同様なやり方を、画面上にその他のタイプのマグネットが存在している場合に適用することが可能である。よって、アーチスト・マップを、例証的な目的で図２並びに図３A及び図３Bに示すが、本発明は、その他の音楽グルーピングを表す、マグネットの種々の組み合わせをサポートすることが可能である。よって、添付図面のマグネットは、本発明の範囲に制約を課さないものとする。例えば、楽曲リスト・パスを作成するための別のやり方は、一ウェイポイントのみを規定し、再生ボタンをクリックすることによる。一ウェイポイントの楽曲のデフォールト数は0であり得る（手作業で停止させられるまで再生し続けるに過ぎないことを意味する）。この例では、このケースにおいてユーザが予期し得る楽曲は、自らが規定した唯一のウェイポイントに近い。ユーザは、楽曲リスト・パス作成を最大限コントロールしたい場合、配置されたウェイポイントの数に再生楽曲の数が等しくなるように設定することが可能である。ウェイポイント全てがアーチストの近く又はアーチスト上に配置された場合、前述のアーチストそれぞれからの一楽曲を楽曲リストに追加することが可能である。更に、ユーザは、図２に示すハッピーな音楽の領域を選択してから、図３Aに示すアーチスト・マップを見て、別の時間ゾ―ンからの特定のハッピーな音楽を更に選択することができる。その結果、ユーザは、再生すべき、アーチスト、時間順序、及び楽曲の種類を厳密に規定することが可能である。
【００２０】
図２並びに図３A及び図３Bに示すアーチスト・マップ（やその他のアーチスト・マップ）、ウェイポイント数、及び再生する対象の楽曲の数を前提とすれば、楽曲リストを構築するプロセスは、図４に示すように、（１）楽曲リスト点生成、（２）アーチスト選択アルゴリズム、（３）楽曲選択アルゴリズム、及び（４）楽曲リストのロード、の工程に分けられる。
【００２１】
（１）楽曲リスト点の生成
特定のコレクションにおける、楽曲の数（例えば、n）、及び特定のウェイポイントに基づいて、楽曲リスト点を、楽曲リスト・パスをn−1個のセグメントに分けてn個の別々の端点をもたらすことによって生成することが可能である。
【００２２】
アーチスト・マップ内のマグネットに基づいて、属性構成が計算される（例えば、ハッピーで高速の楽曲から、攻撃的で比較的速い曲まで）。属性構成は、楽曲リスト点によって示す、ユーザが再生したい楽曲のタイプを規定する。
【００２３】
（２）アーチスト選択アルゴリズム
アルゴリズム１
【００２４】
【数３】
2008517314.tif 000004
ここで、a∈A=｛a1,..an｝はコレクション内のアーチストの組を表し、
Paは、アーチストaの位置を表し、（x,y座標であり）
Pxは現在の楽曲リスト点の位置を表す。
【００２５】
選ばれたアーチストa*は、現在の再生点に最も近いアーチストである。
【００２６】
アルゴリズム2
a*=random｛a｝*
｛a｝*=｛a∈A：d(Pa,Px)＜ε｝
アーチストa*は、先行して判定された閾値εよりも距離が短い楽曲リスト点からのアーチスト組からランダムに選ばれる。
【００２７】
（3）楽曲選択アルゴリズム
アルゴリズム１
s*=random(S)
S=｛s1,..sK｝
ここでSは、アーチストa*によって行われる楽曲の組を表す。
【００２８】
ランダムな楽曲s*は、選択されたアーチストによって演奏される楽曲から選ばれる。
【００２９】
アルゴリズム2
s*=random(S)
Sc=｛s1,..sK｝
ここで、s*は、アーチスト・マップによって課される特定の制約を守る、選択されたアーチストによって演奏される楽曲を表し、Scは、再生点に近い属性マグネットによって制約されるアーチストa*によって演奏される楽曲の組（例えば、ハッピーであり、高速の楽曲）を表す。
【００３０】
属性構成が得られると、属性構成に十分厳密に一致し、楽曲リストにおいていままで再生されていないアーチストが、再生するために選択され、いままでに再生されている場合、次に近いアーチストが選択される。
【００３１】
（４）楽曲リストのロード
楽曲リストのロード中に、リストを、楽曲リストに備えられた音楽のリストを視覚的に伝達するために表示上に示すことが可能である。ユーザは、楽曲リスト点によって強調表示された選択された音楽を容易に識別し、追跡することができ、自らが用いる持続時間、ロードされた楽曲リストを進むことができる。この点で、所望の楽曲に対してユーザを許可するよう画面上の楽曲リストを選択的に選択することが可能である。
【００３２】
本発明は種々の図の好ましい実施例に関して説明したが、その他の同様な実施例を用いることができるか、又は本発明の同じ機能を行うための前述の実施例に、それから逸脱することなく修正及び追加を行うことができる。例えば、本発明の例示的な実施例を音楽データの意味合いで説明したが、本発明が音楽に限定されず、本出願に記載された、メディアをユーザに合わせる方法が、有線であっても無線であっても何れの数のコンピューティング装置又は環境（ゲーム・コンソール、ハンドヘルド型コンピュータ、ポータブル・コンピュータ等など）にも適用することができ、通信ネットワークを介して接続されており、ネットワークを介して相互作用する何れかの数の前述のコンピューティング装置に適用することができることを当業者は認識するであろう。更に、種々のコンピュータ・プラットフォーム（ハンドヘルド型装置のオペレーティング・システムやその他の特定用途向オペレーティング・システムをはじめとする）が特に、無線ネットワーク化された装置の数が急増するにつれ、想定されることを強調する。したがって、本発明は、何れかの単一の実施例に限定されず、むしろ、特許請求の範囲記載の幅及び範囲において解されるものとする。
【図面の簡単な説明】
【００３３】
【図１】本発明によるポータブル・オーディオ・システムの単純化された構成図である。
【図２】本発明による、アーチスト・マップを示す、画面上のユーザ・インタフェース表示を示す図である。
【図３Ａ】本発明による、ナビゲーション・パスを示すアーチスト・マップを示す、画面上のユーザ・インタフェース表示を示す図である。
【図３Ｂ】本発明による、ナビゲーション・パスを示すアーチスト・マップを示す、画面上のユーザ・インタフェース表示を示す図である。
【図４】本発明による、楽曲リストを作成するためのフローチャートである。
【図１】
2008517314.tif 000007
【図２】
2008517314.tif 000008
【図３Ａ】
2008517314.tif 000009
【図３Ｂ】
2008517314.tif 000010
【図４】
2008517314.tif 000011
【国際調査報告】
2008517314.tif 000012
2008517314.tif 000013
2008517314.tif 000014